(57)【要約】【課題】ユーザーが３Ｄ映像信号の左映像と右映像を比較して一方の映像をよく見ることができる映像出力装置及び映像出力方法を提供する。【解決手段】入力される映像信号から左映像と右映像とを同時に出力する出力手段と、前記左映像と右映像との相対的な大きさを設定する設定手段とを備えた映像出力装置。また、入力される映像信号から出力されうる左映像と右映像との相対的な大きさを設定し、この設定に基づいて前記左映像と右映像とを同時に出力する映像出力方法。【選択図】  図１
2012165149.tif 000002
【特許請求の範囲】
【請求項１】
入力される映像信号から左映像と右映像とを同時に出力する出力手段と、
前記左映像と右映像との相対的な大きさを設定する設定手段とを
備えた映像出力装置。
【請求項２】
前記設定手段は、外部からの前記左映像と右映像の縮小率の指示に基づき前記相対的な大きさを設定する請求項１に記載の映像出力装置。
【請求項３】
前記縮小率の指示は、段階的に行われる請求項２に記載の映像出力装置。
【請求項４】
前記左映像と右映像を表示する表示手段を更に備えた請求項１に記載の映像出力装置。
【請求項５】
入力される映像信号から出力されうる左映像と右映像との相対的な大きさを設定し、
この設定に基づいて前記左映像と右映像とを同時に出力する映像出力方法。
【発明の詳細な説明】
【技術分野】
【０００１】
本発明の実施形態は、３Ｄ映像を２Ｄ表示する映像出力装置及び映像出力方法に関する。
【背景技術】
【０００２】
３Ｄ映像を２Ｄ表示する工夫がいろいろと成されている。例えば特許文献１にあるものは、２Ｄモードが選ばれたとき右映像と左映像とのどちらか一方のみを出力させるものである。また特許文献２にあるものは、２つの映像入力信号を２画面表示させる場合、入力信号のアスペクト比で同一の大きさで同時に表示させ画質劣化を防ぐものである。
【０００３】
しかしながら、ユーザーが、３Ｄ映像信号の左映像と右映像を比較して、どちらか一方の映像を見たい要望があるが、かかる要望を実現するための手段は知られていない。
【先行技術文献】
【特許文献】
【０００４】
【特許文献１】特開２０００−１３４６４２号公報
【特許文献２】特開平５−９１４８４号公報
【発明の概要】
【発明が解決しようとする課題】
【０００５】
本発明の実施の形態は、ユーザーが３Ｄ映像信号の左映像と右映像を比較して一方の映像をよく見ることができる映像出力装置及び映像出力方法を提供することを目的とする。
【課題を解決するための手段】
【０００６】
上記課題を解決するために、実施形態によれば映像出力装置は、入力される映像信号から左映像と右映像とを同時に出力する出力手段と、前記左映像と右映像との相対的な大きさを設定する設定手段とを備えた。
【図面の簡単な説明】
【０００７】
【図１】この発明の一実施形態を示す機能ブロック構成図。
【図２】同実施形態の３Ｄ映像信号の表示と、拡大縮小の操作例を示す説明図。
【図３】同実施形態の表示縮小率の定義表の例を説明するために示す図。
【図４】同実施形態のズーム操作の例を示すフローチャート。
【図５】実施形態の立体視映像再生システムを概略的に説明するために示すブロック構成図。
【図６】実施形態に係わるテレビの構成を示すブロック図。
【図７】実施形態に係わる表示装置が扱うＨＤＭＩ端子のピン配列を示す説明図。
【図８】ＩＩＣインタフェースを説明するための図。
【発明を実施するための形態】
【０００８】
以下、本発明の一実施形態を図１乃至図８を参照して説明する。
従来、3D映像信号(左と右の映像)を2D表示する際、左映像または右映像のみの表示にする方法があった。
しかし、左映像と右映像では、視差の影響で、片方の映像にしか映っていないわずかな部分が存在するため、ユーザーは、左映像と右映像を比較して、どちらか一方の映像を見たい要求がある。
【０００９】
そこで、左右映像を同時に表示し、ユーザーの操作で、左右映像をそれぞれ拡大・縮小を行ない、好きな方の映像を大きく表示できるようにする。
本実施形態においては、例えば3次元(3D)映像の表示を3Dメガネを利用して行うシステムを想定している。3Dメガネは左右の映像を液晶シャッター制御を行うことにより左目には左の映像、右目には右の映像を表示することが可能となっている。なお、本実施形態における3Dメガネとしては、本3Dメガネ駆動用のバッテリー(電池、一次電池/二次電池を問わない)が使用されていることを前提とする。また、本3Dメガネのバッテリーのステータス（電池の電圧、あるいは容量等の情報）を検知（チャージディテクション）し、システムに伝達する手段を持つものとする。
【００１０】
まず図５は、この実施の形態で説明する立体視映像再生システムの概略を示している。この立体視映像再生システムは、立体視映像再生機器としてのデジタルテレビジョン放送受信装置１１と、このデジタルテレビジョン放送受信装置１１の表示映像から立体視映像を認識するための立体視用眼鏡１２とを備えている。
【００１１】
このうち、デジタルテレビジョン放送受信装置１１は、薄型のキャビネット１３と、このキャビネット１３を支持する支持台１４とから構成されている。そして、上記キャビネット１３には、その正面中央部に映像表示部としての液晶表示パネル１５が配置されている。また、このキャビネット１３には、その両側面にそれぞれスピーカ１６，１６が配置されて、ステレオ音声再生が行なえるようになっている。
【００１２】
さらに、このキャビネット１３には、その正面下部に、主電源スイッチ１７ａを含む操作部１７と、リモートコントローラ（リモコン）１８から送信される操作情報を受信するための受光部１９とが配置されている。なお、上記支持台１４は、キャビネット１３の底面中央部に回動自在に連結されるもので、所定の基台２０の水平面上に載置された状態で、キャビネット１３を起立させて支持するように構成されている。
【００１３】
ここで、上記デジタルテレビジョン放送受信装置１１は、立体視用として放送される映像信号を受信した場合、その受信した映像信号に基づいて右目用映像信号と左目用映像信号とをそれぞれ生成して、液晶表示パネル１５に右目用映像と左目用映像とを交互に映像表示する。
【００１４】
また、このデジタルテレビジョン放送受信装置１１は、右目用映像を映像表示している期間と、左目用映像を映像表示している期間とをそれぞれ示すシャッタ制御信号ＳＣを生成し、上記立体視用眼鏡１２に出力している。
【００１５】
そして、上記立体視用眼鏡１２は、デジタルテレビジョン放送受信装置１１から供給されるシャッタ制御信号ＳＣに基づいて、右目用映像の表示時に左目のシャッタを閉じ、左目用映像の表示時に右目のシャッタを閉じるように制御され、これにより、ユーザーに立体視映像を認識させている。
【００１６】
また、上記立体視用眼鏡１２は、バッテリー切れを起こしているか否か、つまり、蓄電量を検出するための蓄電量検出部２１を備えている。そして、この蓄電量検出部２１から出力される蓄電量検出信号ＣＤ（チャージディテクション）は、デジタルテレビジョン放送受信装置１１に供給されている。
【００１７】
このデジタルテレビジョン放送受信装置１１は、蓄電量検出信号ＣＤが正常なとき、液晶表示パネル１５に右目用映像と左目用映像とを交互に映像表示して立体視映像表示を実行する。
【００１８】
また、このデジタルテレビジョン放送受信装置１１は、蓄電量検出信号ＣＤが正常でないとき例えば、受信した立体視用の映像信号を通常の２次元表示用の映像信号に変換し、その２次元表示用の映像信号を液晶表示パネル１５に映像表示させるように動作する。
【００１９】
なお、立体視の方式は、所謂裸眼３Ｄなどによってもよい。また、以下の本実施形態では３Ｄ映像を扱える機器は必須ではない。例えば、左右の映像を個別に入力するようなシステムであれば、３Ｄ映像から左右の映像を分離する仕組みは必要ではない。ただし今後３Ｄ映像は一般的になると考えられるので３Ｄ映像が入力される例として述べる。
【００２０】
図６は、本発明の実施の形態に係わるテレビの構成を示すブロック図である。
テレビ１（デジタルテレビジョン放送受信装置１１の信号処理系の構成）は、チューナ１０、信号処理部１１、映像処理部１２Ａ、表示処理部１３Ａ、表示部１４Ａ、音声処理部１２Ｂ、音声出力処理部１３Ｂ、スピーカ１４Ｂ、ＨＤＭＩ受信部１５、ＣＰＵ（Central Processing Unit）１６、ＲＡＭ（RandomAccess Memory）１７、ＲＯＭ（Read Only Memory）１８、操作部１９、受光部２０から構成されている。
【００２１】
チューナ１０は、アンテナ１Ａを介して地上デジタルテレビ放送波（放送信号）を受信し、放送波を復調して番組信号を出力する。信号処理部１１は、チューナ１０の出力を映像データ、音声データ、字幕データ等の種別に分別して処理する。映像処理部１２Ａは、信号処理部１１の映像データおよび字幕データの出力をデコードする。表示処理部１３Ａは、映像処理部１２Ａの出力を表示用の映像信号に変換して出力する。
【００２２】
表示部１４Ａは、表示処理部１３Ａの出力をＬＣＤ（Liquid Crystal Display）等の表示手段に表示する。音声処理部１２Ｂは、信号処理部１１の音声データの出力をデコードする。音声出力処理部１３Ｂは、音声処理部１２Ｂの出力を音声信号に変換して出力する。スピーカ１４Ｂは、音声出力処理部１３Ｂの出力を音声に変換する。ＨＤＭＩ受信部１５は、ＨＤＭＩケーブル６１，６２，６３のＨＤＭＩライン６１Ｂ、６２Ｂ、６３Ｂを介して外部から映像データおよび音声データを受信する。
【００２３】
ＣＰＵ１６は、ＨＤＭＩケーブル６１，６２，６３のＣＥＣ制御ライン６１Ｃ，６２Ｃ，６３Ｃを介して外部からＣＥＣ制御データを送受信しテレビ１の各部を制御する。ＲＡＭ１７は、ＣＰＵ１６が処理するデータを一時的に記憶する。ＲＯＭ１８は、ファームウエア等のデータを不揮発に記録する。操作部１９は、複数のスイッチ等からなり、これらスイッチの入力に基づいてテレビ１を操作する。受光部２０は、リモコン１Ｂから赤外線信号を用いて送信される命令を受信する。各部は、バス２１によって相互に接続される。
【００２４】
なお、ＨＤＭＩケーブル６１，６２，６３は、図示しないレセプタクルに接続されＨＤＭＩのインターフェースを介してＨＤＭＩ受信部１５およびＣＰＵ１６にそれぞれ接続される。
【００２５】
ここで前述のＨＤＭＩ受信部を例に端子のピン配列を説明する。このＨＤＭＩ端子は、図７に示すようなコネクタピン配列を有している。この中では、１３ピンのＣＥＣ（Consumer Electronics Control）５１，１５ピンのＳＣＬ（Serial data Clock Line）、１６ピンのＳＤＡ（Serial Data Analyzer）、１８ピンの＋５Ｖ電源がＨＤＭＩ機器の接続状態を検知する上で好適である。
【００２６】
またＨＤＭＩのクロックとしては映像用のＴＭＤＳクロックの他にＤＤＣ（Display Data Channel）ラインのＳＣＬ（シリアルクロック）もある。ＤＤＣラインは、このＳＣＬとデータラインであるＳＤＡ（シリアルデータ）とからなるＩＩＣインタフェース方式に準拠したシリアルバスによって指令を受ける構成となっている。
【００２７】
図８は、ＩＩＣインタフェースを説明するための図である。ＩＩＣインタフェースのバスは、マスタデバイスから出力されるプルアップされたクロックと、マスタデバイスとスレーブデバイスとの双方向通信を行うデータとの２本の通信線から成り立っている。
【００２８】
図８（ａ）は、スレーブアドレスの構成例を示したものである。スレーブアドレスは8 ビット長で、上位4 ビットはデバイスの種類に応じて固定的に決まっている。また下位1 ビットは0 のとき書き込みで、1 のとき読み込みを表す。したがってスレーブアドレスで実際上使えるのはビット1 から3 までになる。
【００２９】
図８（ｂ）は２線のタイミングの概略図であり、上側のようにデータ線がＬＯＷになることによってＳｔａｒｔとなり、上位ビットから以下データが送られていき、データ線がＨＩＧＨになることによってＳｔｏｐ状態となる。対応するクロック線のタイミングは下側のようである。図８（ｂ）は１バイト転送の例であるが、データとＡＣＫをＳｔｏｐ状態までに複数繰り返せば、最初のバイトはスレーブアドレスだが残りのバイトは通信内容とすることができる。
【００３０】
さて図１は、この発明の一実施形態を示す映像出力装置１の機能ブロック構成図である。図６の信号処理系のうち特に映像系の構成を表現したものである。
映像出力装置１は、ＭＰＵ１６Ａ、Ｍｅｍｏｒｙ１７Ａ（１８Ａ）、Ｍｉｃｒｏｃｏｎｔｒｏｌｌｅｒ２２、Ｒｅｍｏｔｅ  ｃｏｎｔｒｏｌｌｅｒ２３、本体スイッチ２４、映像入力処理部３３、Ｌ映像フレームバッファ３４、Ｒ映像フレームバッファ３５、Ｓｃａｌａｒ３６、Ｓｃａｌａｒ３７、グラフィックス制御部３８および映像、グラフィックスＭｉｘ部３９を備えている。
【００３１】
また映像出力装置１は、ＨＤＭＩ入力部３１またはアナログ映像入力部３２を備え、また映像信号出力４１または映像表示出力４２を備えている。
Ｍｉｃｒｏｃｏｎｔｒｏｌｌｅｒ２２は受光部１９に、Ｒｅｍｏｔｅ  ｃｏｎｔｒｏｌｌｅｒ２３はリモコン１８に、本体スイッチ24は操作部１９Ａに相当している。また、映像入力処理部33、Ｌ映像フレームバッファ３４、Ｒ映像フレームバッファ３５、Ｓｃａｌａｒ３６、Ｓｃａｌａｒ３７は、映像処理部１２Ａで担当される。また、グラフィックス制御部３８および映像、グラフィックスＭｉｘ部３９は表示出力処理部１３Ａで担当される。以下に各構成要素を説明する。
【００３２】
ＭＰＵ１６Ａは、各入出力の制御への指示や、グラフィックス制御部３８にＵｓｅｒ  Ｉｎｔａｆａｃｅを表示させることや、各種状態管理を行なう。映像入力処理部３３には、ＨＤＭＩ入力部３１またはアナログ映像入力部３２から映像信号が入力される。この映像信号が３Ｄ信号フラグを持つ信号の場合は、３Ｄフラグに従い、左映像と右映像を処理し、３Ｄ信号以外であれば、ユーザーの設定によって２Ｄまたは３Ｄとして処理する。
【００３３】
ユーザーは、Ｒｅｍｏｔｅ  ｃｏｎｔｒｏｌｌｅｒ２３や本体スイッチ２４から操作を行ない、Ｍｉｃｒｏｃｏｎｔｒｏｌｌｅｒ２２を経由して、ＭＰＵ１６Ａにこの操作の内容が入力される。ＭＰＵ１６Ａは、ユーザーからの操作により、映像入力処理部３３に対して、通常の２Ｄ映像処理または３Ｄ映像信号の処理を指示する。同時に、Ｓｃａｌａｒ３６、Ｓｃａｌａｒ３７に対して、それぞれ左映像と右映像の拡大縮小率を設定する。
【００３４】
映像、グラフィックスＭｉｘ部３９では、左映像と右映像とグラフィックスを重ね合わせて、映像信号出力４１または映像表示出力４２(液晶パネルなど)へ出力・表示する。
【００３５】
図２は、実施形態の３Ｄ映像信号の表示と、拡大縮小の操作例を示す説明図である。この例では、Ｓｉｄｅ  ｂｙ  ＳｉｄｅとＴｏｐ  ａｎｄ  Ｂｏｔｔｏｍの2種類の３Ｄ信号が入力される機器として、実施例を説明する。
【００３６】
ユーザーは、機器のＭｅｎｕ画面から、「3D左右映像ズームモード」を実行することによって、<左>キー or <右>keyで左映像と右映像の拡大率を変更することができる。
【００３７】
この表示方法は、一例であり、左右映像を上下に並べたり、重ねて表示する方法もある。
また、３Ｄ信号には、実施例以外の信号形式が存在し、Ｆｒａｍｅ  Ｐａｃｋｉｎｇやインターリーブ方式などがある。
また、３Ｄ信号の入力元としては、実現例以外として、内蔵チューナー、内蔵ディスク再生、ネットワーク経由での映像などが用いられうる。
図３は、図２の画面例に対応する、表示縮小率の定義の例である。設定１〜設定５を左右キーで切り換える。
図４は、図２のズーム操作のフローチャート例である。
まず処理Ｓ１は、ユーザーがＧＵＩ画面のメニュー操作で、「３Ｄ左右映像ズームモード」を選択することにより、入力映像を左右の信号に分けて表示処理するモードに遷移する。
【００３８】
続く処理Ｓ２は、「３Ｄ左右映像ズームモード」の前回の設定値を取得する。例の場合の設定値は、図３の設定１〜５である。
処理Ｓ３は、図３の設定から、現在の設定値に応じた縮小率をＳｃａｌａｒに設定する。
処理Ｓ４は、キーイベント待ちで、キーが押されたら、各処理に遷移する。
処理Ｓ５ａ、Ｓ５ｂは、左右キーによって、現在設定値を設定１〜５の範囲で切り換える処理である。
処理Ｓ６は現在設定値をメモリに保存する。この設定値は次にＳ２で参照される。
処理Ｓ７は「３Ｄ左右映像ズームモード」から抜けて、通常の表示モードである、元の映像をそのままフル画面で出す表示に戻す処理である。例えば、Ｓｉｄｅ  ｂｙ  Ｓｉｄｅの映像なら、Ｌ（左映像）とＲ（右映像）が横に並んで映像のアスペクト比が縦に長い表示で、フル画面表示になる。
【００３９】
以上の実施形態により、ユーザーは３Ｄ映像を２Ｄ表示で視聴する場合に、左と右の映像の両方を確認できる手段により、好きな方の映像を選んで視聴することができる。
【００４０】
以上の実施形態の効果として、３Ｄ映像信号の左右映像を同時に表示し、ユーザーの操作で、左右映像をそれぞれ拡大・縮小を行ない、好きな方の映像を大きく表示できるようにするものである。以下の２つのポイントを有する。
【００４１】
（１）3D映像(左と右の映像を持つ)を2D表示にする際、左右の映像を正しいアスペクトで画面に表示する。
（２）（１）の表示で、左映像と右映像は、それぞれ拡大縮小を行なうことが可能である。
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係わる構成要素を適宜組み合わせても良いものである。
【符号の説明】
【００４２】
１１…デジタルテレビジョン放送受信装置、１２…立体視用眼鏡、１３…キャビネット、１４…支持台、１５…液晶表示パネル、１６…スピーカ、１７…操作部、１７ａ…主電源スイッチ、１８…リモートコントローラ、１９…受光部、２０…基台、１６Ａ…ＣＰＵ、６１〜６３…ＨＤＭＩケーブル、６１Ａ〜６３Ａ…ＣＥＣ制御ライン、６１Ｃ〜６３Ｃ…ＣＥＣ制御ライン、２２…Ｍｉｃｒｏｃｏｎｔｒｏｌｌｅｒ、２３…Ｒｅｍｏｔｅ  ｃｏｎｔｒｏｌｌｅｒ、２４…本体スイッチ、３１…ＨＤＭＩ入力部、３２…アナログ映像入力部、３３…映像入力処理部、３４…Ｌ映像フレームバッファ、３５…Ｒ映像フレームバッファ、３６…Ｓｃａｌａｒ、３７…Ｓｃａｌａｒ、３８…グラフィックス制御部
３９…映像、グラフィックスＭｉｘ部、４１…映像信号出力、４２…映像表示出力。
【図１】
2012165149.tif 000003
【図２】
2012165149.tif 000004
【図３】
2012165149.tif 000005
【図４】
2012165149.tif 000006
【図５】
2012165149.tif 000007
【図６】
2012165149.tif 000008
【図７】
2012165149.tif 000009
【図８】
2012165149.tif 000010